(57)【要約】      （修正有）【課題】蓄電体に蓄電されている電気エネルギーを携帯電話器の充電器のバッテリーとして利用できるようにする太陽電池を備えた自発光式視線誘導灯を提供する。【解決手段】自発光式視線誘導灯１は、縦長筒状の透明のケース本体２と、ＬＥＤ３と、太陽電池４と、太陽電池により発電した電気を蓄電する蓄電体５と、ＬＥＤの発光パターンを制御する制御部とを備え、ケース本体２に携帯電話器用の充電器を装備させ、充電器は、蓄電体５と電圧制御回路を介して電気接続されている。【選択図】図１
0003169204.tif 000002
【実用新案登録請求の範囲】
【請求項１】
道路の中央分離帯や路肩等に設置して発光することにより車両運転者や歩行者等の視線を誘導する自発光式視線誘導灯において、
縦長筒状の透明のケース本体と、ＬＥＤと、太陽電池と、太陽電池により発電した電気を蓄電すると共にＬＥＤに給電する蓄電体と、ＬＥＤの発光パターンを制御する制御部とが備えられ、
前記ケース本体は、下端に底蓋が取り付けられると共に上端に上蓋が取り付けられて立設され、
前記太陽電池は、細長いパネル状に構成され、
前記ＬＥＤは、細長い板状のＬＥＤ基板に直線状に複数並べて設けられ、
前記太陽電池と前記ＬＥＤ基板とは、前記ケース本体の略全長に渡って上蓋と底蓋との間に支持されてケース本体内に周方向に並べて収容配置され、
前記ケース本体には、携帯電話器用の充電器が装備され、
前記充電器は、前記蓄電体と電圧制御回路を介して電気接続されている自発光式視線誘導灯。
【請求項２】
請求項１に記載の自発光式視線誘導灯において、
前記充電器は、前記電圧制御回路に接続されている充電コードと、充電コードの外側先端に具備されて携帯電話器の外部接続端子部が接続されるコネクター部とを有して前記上蓋上に設けられ、
前記充電コードは、前記上蓋に設けられている挿通孔に挿通させて外部へ引き出し可能に前記ケース本体内に収納され、
前記上蓋には、携帯電話器を収容可能な収容凹部が設けられている自発光式視線誘導灯。
【請求項３】
請求項１又は２に記載の自発光式視線誘導灯において、
前記上蓋は、中央の頂部から等間隔に３方向に向かって斜めに降下する斜面と、斜面の下端から上蓋の外周縁に向かって水平に位置する水平面とからなる断面略Ｌ字状の凹み部が設けられ、
前記各凹み部には、前記斜面に前記充電器が設けられると共に、前記水平面に携帯電話器が収容可能な大きさの収容凹部が設けられ、
前記複数の充電器における各コネクター部は、携帯電話通信事業者毎に提供される携帯電話器の異なる外部接続端子部に適合した端子構造を有している自発光式視線誘導灯。
【請求項４】
請求項１〜３のいずれか１項に記載の自発光式視線誘導灯において、
前記上蓋には、前記上蓋の上方全域を水密状態に閉塞可能なドーム状のトップカバーが開放自在に設けられ、
前記トップカバーは、前記充電器により充電中の携帯電話器をも被覆可能な大きさに形成されている自発光式視線誘導灯。
【請求項５】
請求項１〜４のいずれか１項に記載の自発光式視線誘導灯において、
前記充電コードは、不使用時には巻き取られた状態で前記ケース本体内に収納され、
前記上蓋には、外部へ引き出された充電コードを巻き取り操作する操作部としての巻き取りボタンが設けられている自発光式視線誘導灯。
【請求項６】
請求項１〜５のいずれか１項に記載の自発光式視線誘導灯において、
前記パネル状の太陽電池は、略三角柱の各面を構成するように３枚配設されている自発光式視線誘導灯。
【考案の詳細な説明】
【技術分野】
【０００１】
本考案は、道路の中央分離帯や路肩等に設置して発光させることにより車両運転者や歩行者等の視線を誘導する自発光式視線誘導灯に関する。
【背景技術】
【０００２】
この種の自発光式視線誘導灯１０１として、例えば、図６に示すように、透明なケース本体１０２内に、複数のＬＥＤ１０３を配設させたＬＥＤ基板１３０と、太陽電池１０４が収納されていると共に太陽電池１０４により発電した電気を蓄電しＬＥＤ１０３に給電する蓄電体１０５と、ＬＥＤ１０３の発光パターンを制御する制御部（図示せず）とが備えられた構成のものがある。
このものでは、ケース本体１０２の底蓋１２２の裏側に設けられている環状溝部１２１を、道路の中央分離帯や路肩等に設置されている視線誘導灯設置用のパイプ１０６の上方開放端に差し込んでセットすることにより直立させる構成となっており、その状態にて、ＬＥＤ基板１３０のＬＥＤ１０３が、前記制御部からの制御信号によって点灯又は点滅することにより、車両運転者や歩行者等の視線の誘導に役立っている。
【先行技術文献】
【特許文献】
【０００３】
【特許文献１】実用新案登録第３１３９５９１号公報
【考案の概要】
【考案が解決しようとする課題】
【０００４】
ところが、上記したような従来の視線誘導灯１０１では、太陽電池１０４の発電性能及び蓄電体１０５における蓄電量が十分であるにもかかわらず、他の機器を充電させるための充電機能は設けられていないため、太陽電池１０４によって発電されて、蓄電体１０５にて蓄電される電気エネルギーは、ＬＥＤ１０３の発光用にしか使用することができず、他の電気機器のバッテリーとして有効に活用することはできない。
【０００５】
本考案は、上記事情に鑑みてなされたものであり、太陽電池の発電性能及び前記太陽電池により発電した電気を蓄電する蓄電機能が良好に確保されている自発光式視線誘導灯において、蓄電体にて蓄電されている電気エネルギーを、他の電気機器の充電器、例えば、携帯電話器の充電器のバッテリーとして利用できるようにすることを課題とする。
【課題を解決するための手段】
【０００６】
本考案に係る自発光式視線誘導灯は、
道路の中央分離帯や路肩等に設置して発光することにより車両運転者や歩行者等の視線を誘導する自発光式視線誘導灯において、
縦長筒状の透明のケース本体と、ＬＥＤと、太陽電池と、太陽電池により発電した電気を蓄電すると共にＬＥＤに給電する蓄電体と、ＬＥＤの発光パターンを制御する制御部とが備えられ、
前記ケース本体は、下端に底蓋が取り付けられると共に上端に上蓋が取り付けられて立設され、
前記太陽電池は、細長いパネル状に構成され、
前記ＬＥＤは、細長い板状のＬＥＤ基板に直線状に複数並べて設けられ、
前記太陽電池と前記ＬＥＤ基板とは、前記ケース本体の略全長に渡って上蓋と底蓋との間に支持されてケース本体内に周方向に並べて収容配置され、
前記ケース本体には、携帯電話器用の充電器が装備され、
前記充電器は、前記蓄電体と電圧制御回路を介して電気接続されている。
【０００７】
上記構成によれば、太陽電池によって発電されて蓄電体で蓄電されている電気エネルギーを、ケース本体に設けた携帯電話器の充電器のバッテリーとして利用できるようにしたから、自発光式視線誘導灯を携帯電話器の充電器として利用することができる。
【０００８】
前記充電器は、前記電圧制御回路に接続されている充電コードと、充電コードの外側先端に具備されて携帯電話器の外部接続端子部が接続されるコネクター部とを有して前記上蓋上に設けられ、
前記充電コードは、前記上蓋に設けられている挿通孔に挿通させて外部へ引き出し可能に前記ケース本体内に収納され、
前記上蓋には、携帯電話器を収容可能な収容凹部が設けられている構成が望ましい。
このものでは、携帯電話器の充電器は上蓋上に設けられる構成となっており、携帯電話器を充電させるには、コネクター部を持って、充電コードを上蓋の挿通孔から外部へ所定長さ引き出し、コネクター部を携帯電話器の外部接続端子部に接続させると共に、携帯電話器を収納凹部に収容させて、充電完了を待つ。充電完了後、携帯電話器を収容凹部から取り出すと共に、コネクター部を携帯電話器から取り外して、充電コードをケース本体に戻しておけば良い。従って、前記収容凹部によって携帯電話器を安定した状態を保って充電することができる。
【０００９】
前記上蓋は、中央の頂部から等間隔に３方向に向かって斜めに降下する斜面と、斜面の下端から上蓋の外周縁に向かって水平に位置する水平面とからなる断面略Ｌ字状の凹み部が設けられ、
前記各凹み部には、前記斜面に前記充電器が設けられると共に、前記水平面に携帯電話器が収容可能な大きさの収容凹部が設けられ、
前記複数の充電器における各コネクター部は、携帯電話通信事業者毎に提供される携帯電話器の異なる外部接続端子部に適合した端子構造を有しているのが望ましい。
この場合、上蓋に形成された３つの凹み部の各々において携帯電話器を充電させることができ、複数の携帯電話器を同時に充電することができる。しかも、各凹み部において、異なる携帯電話通信事業者の携帯電話器に対応して充電が可能となる。
【００１０】
前記上蓋には、前記上蓋の上方全域を水密状態に閉塞可能なドーム状のトップカバーが開放自在に設けられ、
前記トップカバーは、前記充電器により充電中の携帯電話器をも被覆可能な大きさに形成されているのが望ましい。
このものでは、通常、ケース本体の上蓋はトップカバーによって水密状態に被覆されているから、上蓋に位置している充電器は風雨や塵芥や外的障害等から保護されている。そして、充電器を使用する際にはトップカバーを開放させる。また、充電器に携帯電話器を接続させた状態においても、トップカバーを閉塞させることができるので、雨天時でも、充電器及び携帯電話器を風雨から保護しながら携帯電話器を充電することが可能となる。
【００１１】
前記充電コードは、不使用時には巻き取られた状態で前記ケース本体内に収納され、
前記上蓋には、外部へ引き出された充電コードを巻き取り操作する操作部としての巻き取りボタンが設けられているのが望ましい。
このものでは、充電完了後、巻き取りボタンを押せば、充電コードはケース本体内の所定箇所に巻き取られて、本体ケース内に収納されることとなり、充電器の不使用時に充電コードが邪魔にならない。
【００１２】
前記パネル状の太陽電池は、略三角柱の各面を構成するように３枚配設されているのが望ましい。
このものでは、太陽の位置に関わらず、３枚の太陽電池のいずれかで太陽光を受光でき、発電させることができる。このように、太陽光の受光面積を広く確保することができ、太陽電池の発電性能及び蓄電体での蓄電量を十分確保できる。
【考案の効果】
【００１３】
以上のように、本考案によれば、自発光式視線誘導灯に携帯電話器の充電器を具備させる構成としたから、例えば、電気が通っていない山中等の辺鄙な場所や、地震や台風等の災害や事件等で電力ラインが機能しなくなった場合でも、道路等に自発光式視線誘導灯が設置されてあれば、その充電機能を利用して携帯電話器を充電することができる。これにより、携帯電話器の充電池の充電状態を気にすることなく、緊急連絡用として携帯電話器を機能させることができる。
【図面の簡単な説明】
【００１４】
【図１】本考案の実施の形態による自発光式視線誘導灯の外観構成を示す斜視図である。
【図２】本考案の実施の形態による自発光式視線誘導灯の内部構成を示す断面図である。
【図３】本考案の実施の形態による自発光式視線誘導灯における、上蓋の平面図である。
【図４】内部構造を省略した図３のＸ−Ｘ断面図である。
【図５】本考案の実施の形態による自発光式視線誘導灯における充電器で携帯電話器の充電を実施している使用状態を示す説明図である。
【図６】従来の自発光式視線誘導灯を示す説明図である。
【考案を実施するための形態】
【００１５】
以下に、本考案の実施の形態について説明する。
実施の形態による自発光式視線誘導灯１は、道路の中央分離帯や路肩等に設置して自ら発光して車両運転者や歩行者等の視線を誘導するものである。この自発光式視線誘導灯１は、図１に示すように、透明な縦長筒状のケース本体２内に、ＬＥＤ（発光ダイオード）３と、太陽電池４と、太陽電池４により発電した電気を蓄電すると共にＬＥＤ３に給電する蓄電体５と、ＬＥＤ３の発光パターンや発光の停止及び開始等を制御する制御部（図示せず）とが備えられており、ＬＥＤ３は、図示しない制御部からの制御信号によって点灯又は点滅され、これにより、車両運転者等の視線を誘導する。
【００１６】
上記ケース本体２の下部には、同図に示すように、大径筒状部２１と小径筒状部２２とからなるポールベース２０が設けられてあり、ケース本体２は、大径筒状部２１内に嵌め込まれている底蓋２３に取り付けられて直立状態に立設されている。ケース本体２の上部には、上蓋１０が取り付けられていると共に、この上蓋１０には、ドーム状のトップカバー２４が水密状態に取り付けられている。
【００１７】
太陽電池４は、四角形状の太陽電池セル４１を細長いパネル板４０に複数個添設して全体に縦長のパネル状に形成されている。この実施の形態では、図２に示すように、パネル状の太陽電池４を３枚設け、各パネル板４０で三角柱が形成されるように配設された状態にて、ケース本体２内の底蓋２３と上蓋１０との間に収容配置されている。
【００１８】
ＬＥＤ３は、細長い板状のＬＥＤ基板３０に一直線状に複数個並べて取り付けられてあり、ＬＥＤ基板３０は、ＬＥＤ３を外側に向けた状態で、前記隣接するパネル板４０間に縦長に位置するように、上蓋１０と底蓋２２との間に支持されて、ケース本体２内に収容されている。この実施の形態では、３枚のパネル板４０で形成される三角柱のうちの一つの角部に相当する箇所にのみＬＥＤ基板３０を配設させているが、３つの角部それぞれに配設する構成としてもよい。この場合、例えば、道路の中央分離帯に本自発光式視線誘導灯１を設置すれば、上り車線及び下り車線の両方の車両運転者に対して視線誘導することができる。
【００１９】
ポールベース２０の小径筒状部２２内には、蓄電体５が収容されており、大径筒状部２１の下面には、図示しないが、自発光式視線誘導灯１を設置するための設置用パイプ２５の上端開放部を嵌合させるための環状溝部が形成されている。
【００２０】
蓄電体５は、例えば、鉛蓄電池により構成されている。これにより、蓄電体５の充電量を多くすることができ、ＬＥＤ３発光の長期安定性を一層確保することができる。なお、蓄電体５は、複数設置されてもよいし、ケース本体２の外部に設置されてもよい。また、この蓄電体５は、鉛蓄電池に代えて、電気二重層コンデンサ、リチウム電池、マンガン電池等の各種の電池で構成してもよい。
【００２１】
また、ケース本体２は、その材質として、ポリカーボネートやアクリル等の透明樹脂、透明ガラス等により形成することができ、本実施の形態では、ポリカーボネート樹脂により形成されている。そして、このケース本体２の外表面には、光により活性化して表面を親水性にする酸化チタン含有の透明薄膜がコーティングされている。これにより、ケース本体２の外表面が親水化され、親水化されたケース本体２の外表面に水の膜ができ、汚れを付着させ難くすることができる。また、この親水化されたケース本体２の外表面に汚れが付着しても、光により活性化された酸化チタンの酸化力によって汚れが分解され、また、親水表面に汚れを浮かせることができる。従って、ケース本体２に付着した汚れは、降雨等により簡単に洗い流される。しかも、親水化されたケース本体２の外表面に付着した汚れは除去され易いことから、作業者が清掃作業を行う場合は、簡単にケース本体２の外表面の汚れを除去することができ、清掃作業を短時間で行うことができる。従って、このケース本体２内に収容配置したＬＥＤ３によるＬＥＤ発光の視認性を長期にわたって良好に確保することができる。
【００２２】
以上のように、本実施の形態による自発光式視線誘導灯１によれば、細長い板状のＬＥＤ基板３０がケース本体２のほぼ全長にわたって配置され、この細長い板状のＬＥＤ基板３０に複数のＬＥＤ３が一直線状に並べて取り付けられているので、各ＬＥＤ３が縦長のライン状に発光される。従って、遠目から見てもＬＥＤ３発光の視認性が良好となる。
【００２３】
又、細長い板状に形成された３枚の太陽電池４は、ケース本体２のほぼ全長にわたって配置されるので太陽光の受光面積が広くなる。よって、日中ならば太陽の位置に関わらず、３枚のパネル板４０のいずれかで発電させることができるから、太陽電池４の発電性能が十分に確保され、蓄電体５での充電も十分に行える。
【００２４】
図３はトップカバー２４を取り外して上蓋１０を露出させた状態の自発光式視線誘導灯１の平面図を示し、図４はその一部断面側面図を示す。
図３及び図４に示すように、上蓋１０は、中央の頂部１１から等間隔に３方向に向かって、斜めに降下する斜面１２ａと、斜面１２ａの下端から上蓋１０の外周縁１０ａに向かって水平に位置する水平面１２ｂとからなる断面略Ｌ字状の凹み部１２が設けられた形状を呈しており、各水平面１２ｂには、携帯電話器３１が収容可能な大きさの収容凹部１３が設けられている。又、各水平面１２ｂ上の収容凹部１３の横には、携帯電話器３１の充電器５０の充電コード５１の巻き取り操作をするための操作部としての巻取りボタン１５が突設されている。
【００２５】
そして、３つの凹み部１２の各斜面１２ａの上端近傍には、挿通孔１４がそれぞれ形成されており、各挿通孔１４には、携帯電話器用の充電器５０の充電コード５１が引き出し可能に挿通している。充電コード５１は、電圧制御回路（図示せず）を通じて蓄電体５に電気接続されている。この電圧制御回路によって充電器５０には、携帯電話器３１の充電池（例えば、リチウム電池）の定格（電圧３．７Ｖ、電流７１０ｍＡ）の電気供給を行うようにしている。充電コード５１は、充電器５０の不使用時にはケース本体２内に収納されてあり、その外側の端部には、コネクター部５２ａ，５２ｂ，５２ｃが具備されてある。この実施の形態では、３つの凹み部１２にそれぞれ設けた３つの充電器５０はそれぞれ異なる携帯電話通信事業者（ＮＴＴドコモ、ａｕ、ソフトバンクなど）の携帯電話器用のものを採用しており、各コネクター部５２ａ，５２ｂ，５２ｃは、前記異なる携帯電話通信事業者の携帯電話器３１の外部接続端子部にそれぞれ適合するように異なる端子構造を有するように設定されている。
【００２６】
充電器５０で携帯電話器３１を充電するには、図４の点線で示すように、まず、適合する端子構造を有するコネクター部（図４では５２ａ）を持って、充電コード５１を少し引き出し、コネクター部５２ａを携帯電話器３１の外部接続端子部３２に接続する。そして、充電が完了するまで、携帯電話器３１を収容凹部１３に略直立状態に収容しておく。この収容凹部１３によって携帯電話器３１を安定した状態を保って充電することができる。この実施の形態のトップカバー２４は、図５に示すように、収容凹部１３に携帯電話器３１を差し込んだ状態でも、上蓋１０の上方を被覆可能な高さのドーム状に構成されているから、例えば、雨天時においても、充電器５０及び携帯電話器３１を濡らすことなく充電が可能となる。尚、トップカバー２４は上蓋１０に対して、密に嵌合させたり、螺合させたりすることにより、水密状態に被嵌される。また、収容凹部１３の形状は、長方形状の携帯電話器３１を略直立状態に収容させる形状に限らず、水平状態や斜めに傾いた状態等その他種々の保持状態に収容させる形状であってもよい。
【００２７】
充電完了後は、コネクター部５２ａを携帯電話器３１の外部接続端子部３２から取り外し、巻き取りボタン１５を押して、充電コード５１をケース本体２内に巻き取り状態で収納した後、トップカバー２４を再度、上蓋１０に被覆させておけばよい。
【００２８】
このように、自発光式視線誘導灯１に携帯電話器用の充電器５０を具備させる構成とすることにより、電気の通っていない辺鄙な場所で長期間滞在する場合や、或いは、地震や台風等の災害や、テロ事件の発生等によって、電力ラインが壊滅した場合であっても、道路に、本考案の自発光式視線誘導灯１が設置されてあれば、自発光式視線誘導灯１に具備させた充電器５０を利用して、携帯電話器３１の充電を行なうことができるので、携帯電話器３１の充電池の電気エネルギーがなくなってしまう心配をすることなく、携帯電話器３１を緊急連絡用として有効に使用することができる。
【００２９】
尚、本考案は、上述の実施の形態のみに限定されず、本考案の範囲内で種々の変更を施すことが可能である。
例えば、充電器５０は、３つに限らず、１つ以上設置するようにしてもよい。また、充電器５０のコネクター部５２は、携帯電話通信事業者の各々に共通した形状のものでよく、この場合、携帯電話通信事業者やコネクター部５２の数にかかわらず、携帯電話器５０を充電することができる。
また、充電コード５１の巻取りボタン１５を設けるが、巻取りボタン１５を設けずに充電コード５１を少し引っ張って放すと巻き取られる巻取り機構を設けてもよいし、また、このような充電コード５１の巻取りの機能を設けないものでもよい。なお、充電コード５１の巻取り機能を設けないものでも、コネクター部５２に携帯電話器３１の外部接続端子部３２を接続するだけの簡易な操作で携帯電話器３１の充電を行うことができる。
さらには、充電器５０は、携帯電話器３１のスタンドとして機能する収容凹部１３において携帯電話器３１の第２の外部接続端子部に接続されるコネクター部を設けるようにし、充電コード５１を外部に露出させないタイプとしてもよい。この場合、携帯電話器３１を収容凹部１３に配置させるだけで、携帯電話器３１の第２の外部接続端子部にコネクター部が接続されるので、一層簡易に携帯電話器３１の充電を行うことができる。
【符号の説明】
【００３０】
１  自発光式視線誘導灯
２  ケース本体
３  ＬＥＤ
４  太陽電池
５  蓄電体
１０  上蓋
１２  凹み部
１２ａ  斜面
１２ｂ  水平面
１３  収容凹部
１４  挿通孔
１５  巻き取りボタン
２３  底蓋
２４  トップカバー
３０  ＬＥＤ基板
３１  携帯電話器
３２  外部接続端子部
５０  充電器
５１  充電コード
５２  コネクター部
【図１】
0003169204.tif 000003
【図２】
0003169204.tif 000004
【図３】
0003169204.tif 000005
【図４】
0003169204.tif 000006
【図５】
0003169204.tif 000007
【図６】
0003169204.tif 000008